(57)【要約】【課題】  最終印刷物における裏写りの状態を再現できるようになるとともに、かかる再現の精度を向上できるようになる画像処理装置を提供すること。【解決手段】  本発明では、各画素の色情報が「色情報に基づき印刷機により画像記録媒体の一方の面に再現される色が、該画像処理装置の出力において再現されるように、画像データの色情報を変換するためのカラープロファイル情報」に基づいて変換された第１画像データと、各画素の色情報が「色情報に基づき印刷機により画像記録媒体の一方の面に再現される色を他方の面側から見た場合の色が、該画像処理装置の出力において再現されるように、画像データの色情報を変換するための裏写り用カラープロファイル情報」に基づいて変換され、かつ、左右又は上下反転処理が施された第２画像データと、を合成してなる画像データが生成され、出力される。【選択図】        図１
2007006188.tif 000002
【特許請求の範囲】
【請求項１】
画像記録媒体の一方の面に第１画像データを形成するとともに、前記画像記録媒体の他方の面に第２画像データを形成する印刷機、における印刷出力をシミュレートするための画像処理装置において、
色情報に基づき前記印刷機により前記画像記録媒体の一方の面に再現される色が、該画像処理装置の出力において再現されるように画像データの各画素の色情報を変換するためのカラープロファイル情報を取得する手段と、
色情報に基づき前記印刷機により前記画像記録媒体の一方の面に再現される色を他方の面側から見た場合の色が、該画像処理装置の出力において再現されるように画像データの各画素の色情報を変換するための裏写り用カラープロファイル情報を取得する手段と、
各画素の色情報が前記カラープロファイル情報に基づいて変換された前記第１画像データと、各画素の色情報が前記裏写り用カラープロファイル情報に基づいて変換され、かつ、左右又は上下反転処理が施された前記第２画像データと、を合成してなる画像データを生成する画像生成手段と、
前記画像生成手段によって生成される画像データを出力する画像出力手段と、
を含むことを特徴とする画像処理装置。
【請求項２】
請求項１に記載の画像処理装置において、
前記画像生成手段は、各画素の色情報が前記カラープロファイル情報に基づいて変換された前記第２画像データと、各画素の色情報が前記裏写り用カラープロファイル情報に基づいて変換され、かつ、左右又は上下反転処理が施された前記第１画像データと、を合成してなる画像データを生成する手段を含むことを特徴とする画像処理装置。
【請求項３】
画像記録媒体の一方の面に第１画像データを形成するとともに、前記画像記録媒体の他方の面に第２画像データを形成する印刷機、における印刷出力をシミュレートするための画像処理装置の制御方法において、
色情報に基づき前記印刷機により前記画像記録媒体の一方の面に再現される色が、該画像処理装置の出力において再現されるように画像データの各画素の色情報を変換するためのカラープロファイル情報を取得するためのステップと、
色情報に基づき前記印刷機により前記画像記録媒体の一方の面に再現される色を他方の面側から見た場合の色が、該画像処理装置の出力において再現されるように画像データの各画素の色情報を変換するための裏写り用カラープロファイル情報を取得するためのステップと、
各画素の色情報が前記カラープロファイル情報に基づいて変換された前記第１画像データと、各画素の色情報が前記裏写り用カラープロファイル情報に基づいて変換され、かつ、左右又は上下反転処理が施された前記第２画像データと、を合成してなる画像データを生成するための画像生成ステップと、
前記画像生成ステップによって生成される画像データを画像出力手段に出力させるためのステップと、
を含むことを特徴とする画像処理装置の制御方法。
【請求項４】
画像記録媒体の一方の面に第１画像データを形成するとともに、前記画像記録媒体の他方の面に第２画像データを形成する印刷機、における印刷出力をシミュレートするための画像処理装置としてコンピュータを機能させるためのプログラムであって、
色情報に基づき前記印刷機により前記画像記録媒体の一方の面に再現される色が、該画像処理装置の出力において再現されるように画像データの各画素の色情報を変換するためのカラープロファイル情報を取得する手段、
色情報に基づき前記印刷機により前記画像記録媒体の一方の面に再現される色を他方の面側から見た場合の色が、該画像処理装置の出力において再現されるように画像データの各画素の色情報を変換するための裏写り用カラープロファイル情報を取得する手段、
各画素の色情報が前記カラープロファイル情報に基づいて変換された前記第１画像データと、各画素の色情報が前記裏写り用カラープロファイル情報に基づいて変換され、かつ、左右又は上下反転処理が施された前記第２画像データと、を合成してなる画像データを生成する画像生成手段、及び、
前記画像生成手段によって生成される画像データを出力する画像出力手段、
として前記コンピュータを機能させるためのプログラム。
【発明の詳細な説明】
【技術分野】
【０００１】
本発明は画像処理装置、画像処理装置の制御方法及びプログラムに関する。
【背景技術】
【０００２】
近年、雑誌などのカラー印刷物を生成するにあたり、印刷機による印刷を行う前に、プリンタ等の画像処理装置を用いて色の状態をシミュレートさせて確認できるようにすることが行われている。この場合、印刷機の色再現性と、画像処理装置の色再現性とを一致させる必要から、カラープロファイルというデータが生成され、このカラープロファイルを用いて、色再現性を一致させる処理が行われている。
【発明の開示】
【発明が解決しようとする課題】
【０００３】
ところで、近年の印刷の現場では、比較的薄手の用紙の両面に画像を形成することが行われており、こうした場合に、当該用紙を透かして、裏側の印刷の内容が見えてしまう、いわゆる裏写りの現象が生じてしまう場合がある。そこで、こうした最終印刷物における裏写りの状態についても、以上のような画像処理装置を用いてシミュレートを行えるようになることが強く望まれている。この場合、裏写りの状態は例えば用紙に応じて、また、印刷機の特性に応じて異なるものであり、かかる用紙や印刷機の特性等に配慮し、最終印刷物における裏写りの影響が精度よく再現されることが強く望まれる。
【０００４】
本発明は、上記課題に鑑みて為されたものであって、最終印刷物における裏写りの状態を再現できるようになるとともに、かかる再現の精度を向上できるようになる画像処理装置、画像処理装置の制御方法及びプログラムを提供することをその目的の一つとする。
【課題を解決するための手段】
【０００５】
上記課題を解決するために、本発明に係る画像処理装置は、画像記録媒体の一方の面に第１画像データを形成するとともに、前記画像記録媒体の他方の面に第２画像データを形成する印刷機、における印刷出力をシミュレートするための画像処理装置において、色情報に基づき前記印刷機により前記画像記録媒体の一方の面に再現される色が、該画像処理装置の出力において再現されるように画像データの各画素の色情報を変換するためのカラープロファイル情報を取得する手段と、色情報に基づき前記印刷機により前記画像記録媒体の一方の面に再現される色を他方の面側から見た場合の色が、該画像処理装置の出力において再現されるように画像データの各画素の色情報を変換するための裏写り用カラープロファイル情報を取得する手段と、各画素の色情報が前記カラープロファイル情報に基づいて変換された前記第１画像データと、各画素の色情報が前記裏写り用カラープロファイル情報に基づいて変換され、かつ、左右又は上下反転処理が施された前記第２画像データと、を合成してなる画像データを生成する画像生成手段と、前記画像生成手段によって生成される画像データを出力する画像出力手段と、を含むことを特徴とする。
【０００６】
また、本発明に係る画像処理装置の制御方法は、画像記録媒体の一方の面に第１画像データを形成するとともに、前記画像記録媒体の他方の面に第２画像データを形成する印刷機、における印刷出力をシミュレートするための画像処理装置の制御方法において、色情報に基づき前記印刷機により前記画像記録媒体の一方の面に再現される色が、該画像処理装置の出力において再現されるように画像データの各画素の色情報を変換するためのカラープロファイル情報を取得するためのステップと、色情報に基づき前記印刷機により前記画像記録媒体の一方の面に再現される色を他方の面側から見た場合の色が、該画像処理装置の出力において再現されるように画像データの各画素の色情報を変換するための裏写り用カラープロファイル情報を取得するためのステップと、各画素の色情報が前記カラープロファイル情報に基づいて変換された前記第１画像データと、各画素の色情報が前記裏写り用カラープロファイル情報に基づいて変換され、かつ、左右又は上下反転処理が施された前記第２画像データと、を合成してなる画像データを生成するための画像生成ステップと、前記画像生成ステップによって生成される画像データを画像出力手段に出力させるためのステップと、を含むことを特徴とする。
【０００７】
また、本発明に係るプログラムは、画像記録媒体の一方の面に第１画像データを形成するとともに、前記画像記録媒体の他方の面に第２画像データを形成する印刷機、における印刷出力をシミュレートするための画像処理装置としてコンピュータを機能させるためのプログラムであって、色情報に基づき前記印刷機により前記画像記録媒体の一方の面に再現される色が、該画像処理装置の出力において再現されるように画像データの各画素の色情報を変換するためのカラープロファイル情報を取得する手段、色情報に基づき前記印刷機により前記画像記録媒体の一方の面に再現される色を他方の面側から見た場合の色が、該画像処理装置の出力において再現されるように画像データの各画素の色情報を変換するための裏写り用カラープロファイル情報を取得する手段、各画素の色情報が前記カラープロファイル情報に基づいて変換された前記第１画像データと、各画素の色情報が前記裏写り用カラープロファイル情報に基づいて変換され、かつ、左右又は上下反転処理が施された前記第２画像データと、を合成してなる画像データを生成する画像生成手段、及び、前記画像生成手段によって生成される画像データを出力する画像出力手段、として前記コンピュータを機能させるためのプログラムである。
【０００８】
また、本発明の一態様では、前記画像生成手段は、各画素の色情報が前記カラープロファイル情報に基づいて変換された前記第２画像データと、各画素の色情報が前記裏写り用カラープロファイル情報に基づいて変換され、かつ、左右又は上下反転処理が施された前記第１画像データと、を合成してなる画像データを生成する手段を含むようにしてもよい。
【発明を実施するための最良の形態】
【０００９】
以下、本発明の好適な実施の一形態について図面に基づき詳細に説明する。
【００１０】
図１は、本実施の形態に係る画像処理装置１の全体構成を示す図である。同図に示すように、画像処理装置１は、制御部１１と、記憶部１２と、操作部１３と、表示部１４と、プリンタ部１５と、測色部１６と、を含んで構成される。
【００１１】
制御部１１は、ＣＰＵ（Central Processing Unit）等によって実現され、記憶部１２に格納されているプログラムに従って動作する。この制御部１１が行う処理の具体的な内容については、後に詳しく述べる。
【００１２】
記憶部１２は、ＲＡＭ（Random Access Memory）や、ＲＯＭ（Read Only Memory）等のメモリ素子やハードディスク等によって実現できる。この記憶部１２は、制御部１１が実行するプログラム（ソフトウェア）を格納している。このプログラムは、例えばコンピュータ読み取り可能な情報記憶媒体から読み出されて記憶部１２に格納される。また、この記憶部１２は、制御部１１の処理の過程で利用される種々のデータを保持するワークメモリとしても動作する。
【００１３】
操作部１３は、マウスやキーボード等であり、この操作部１３は、ユーザから指示の入力を受け入れて、当該指示の内容を制御部１１に出力する。表示部１４は、カラーディスプレイ装置等であり、制御部１１から入力される指示に従って、画像を表示する。
【００１４】
プリンタ部１５は、カラープリンタであり、レーザプリンタやインクジェットプリンタ等の出力装置によって実現できる。このプリンタ部１５は、例えば、制御部１１から入力される指示に従って、紙や合成樹脂フィルム等のシート状の画像記録媒体上に、制御部１１から入力される画像データに基づく画像（例えば、テキスト、図形、写真等を含むカラー又はモノクロの印刷原稿画像等）を形成する。
【００１５】
測色部１６は、分光光度計を備えたスキャナ装置等により実現できる。この測色部１６は、制御部１１から入力される指示に従い、測色対象となった媒体上に形成されている画像を光学的にスキャンして、当該画像の色を表す測色データを生成し、制御部１１に出力する。
【００１６】
以上の構成を有する画像処理装置１では、裏写りシミュレーション処理が制御部１１によって実行される。裏写りシミュレーション処理は、裏写りを模式的に表した画像を生成して出力する処理である。ここでは、「媒体の一方の面に第１画像データを形成するとともに、該媒体の他方の面に第２画像データを形成する印刷機」での両面印刷時の裏写りの状態をシミュレートする例について述べる。
【００１７】
裏写りシミュレーション処理を実行するため、記憶部１２には、画像処理装置１（プリンタ部１５）のデバイスプロファイルと、ターゲットとなる印刷機のプロファイル（ターゲットプロファイル）及び裏写り用プロファイル（裏写りターゲットプロファイル）と、が記憶される。
【００１８】
デバイスプロファイルは、画像処理装置１（プリンタ部１５）からの出力で再現される色の値（例えばＣＭＹＫ値）と、デバイスに依存しない色空間での各色の値（例えばＬａｂ値）と、を関連づける情報である。
【００１９】
ターゲットプロファイルは、ターゲットの印刷機で再現される色の値（例えばＣＭＹＫ値）と、デバイスに依存しない色空間での各色の値（例えばＬａｂ値）と、を関連づける情報である。ターゲットプロファイルは、ターゲットの印刷機で用いられる媒体の種類（例えば印刷用紙の種類）ごとに用意される。
【００２０】
ターゲットプロファイルは、ターゲットの印刷機の製造者等によって提供されるものを利用するようにしてもよい。
【００２１】
または、ターゲットプロファイルは、ターゲットの印刷機によって媒体上に形成された、互いに異なる色で着色された複数のパッチ（カラーパッチ）を含むカラーチャートを、測色部１６に読み取らせることによって生成するようにしてもよい。
【００２２】
ここで、カラーパッチの色と配置とは予め定められており、カラーチャートに含まれるカラーパッチについて、個々のカラーパッチに固有に割り当てられた識別情報と、カラーパッチの色情報と、配置位置を表す情報とが関連づけられて、図２に示すようなテーブルとして記憶部１２に格納されているものとする。また、カラーパッチはｍ行ｎ列のマトリクス状に配列されるものとし、各カラーパッチの配置位置を表す情報は当該配列に従って設定されるものとする。すなわち、媒体上に形成されたカラーチャートでは、図２に例示したカラーパッチの情報に基づいて、上記色情報で指定された色のカラーパッチが、当該色情報に関連づけられている配置位置の情報に基づく位置に配置されているものとする。
【００２３】
利用者は、測色部１６を操作して、カラーチャートの各カラーパッチを、所定の順序で読み取らせる。例えばｍ×ｎに配列されたカラーパッチを、左上隅を起点に左から右へ順次読み取っていき、次に１行下へ移ってまた左から右へと順次読み取る順序（以下、スキャンライン順と呼ぶ）で、右下隅まで読み取らせる。
【００２４】
制御部１１は、測色部１６から順次入力されるカラーパッチの読取結果を、デバイスに依存しない色空間（例えばＬａｂ色空間）での値に変換し、順次、ターゲットプロファイル情報として記憶部１２に格納する。
【００２５】
裏写りターゲットプロファイルは、ターゲットの印刷機で媒体裏面に印刷される色の値（例えばＣＭＹＫ値）と、それを媒体表面側から見たときの色（裏写りの色）の、デバイスに依存しない色空間での値（例えばＬａｂ値）と、を関連づける情報である。裏写りターゲットプロファイルは、ターゲットプロファイルに対応づけて記憶部１２に格納される。裏写りターゲットプロファイルも、ターゲットの印刷機で用いられる媒体の種類ごとに用意される。
【００２６】
裏写りターゲットプロファイルは、ターゲットの印刷機によって媒体上に形成されたカラーチャートを、媒体を介して裏側（測色対象となるカラーチャートが形成されている面とは異なる面側）から、測色部１６に読み取らせることによって生成される。
【００２７】
利用者は、測色部１６を操作して、上記カラーチャートがターゲットの印刷機によって形成された媒体を裏返して、媒体を介して裏側から、カラーチャートの各カラーパッチを、所定の順序で読み取らせる。例えばｍ×ｎに配列されたカラーパッチを、右上隅を起点にスキャンライン順で左下隅まで読み取らせる。
【００２８】
制御部１１は、測色部１６から順次入力されるカラーパッチの読取結果を、デバイスに依存しない色空間での値に変換し、順次、裏写りターゲットプロファイル情報として記憶部１２に格納する。すなわち、この裏写りターゲットプロファイル情報は、元の各カラーパッチの色情報（例えばシアンＣ，マゼンタＭ，イエローＹ，ブラックＫからなるＣＭＹＫ色空間での情報）に対して、当該色情報の色が媒体裏面側に印刷されたときに、表面側から媒体を介して見たときの、デバイスに依存しない色の値（Ｌａｂ色空間での値）に変換する変換テーブルとなる。
【００２９】
制御部１１は、利用者から媒体の表面側に形成するべき画像のデータ（第１画像データと呼ぶ）と、媒体の裏面側に形成するべき画像のデータ（第２画像データと呼ぶ）との入力を受け入れ、図３に示すような処理を行う。
【００３０】
図３に示すように、制御部１１は、画像処理装置１の動作モードが裏写りシミュレーションモードであるか否かを判定する（Ｓ１０１）。ここで、動作モードは例えば図４に示すような設定画面において設定される。この設定画面は、例えば印刷指示画面の一部として表示部１４に表示されるものである。利用者はこの設定画面において、裏写りシミュレーションモードを利用するか否か、及び、印刷用紙の種類を選択する。
【００３１】
動作モードが裏写りシミュレーションモードでない場合、制御部１１は通常の印刷処理を実行する（Ｓ１０９）。例えば、制御部１１は、第１画像データ及び第２画像データをそれぞれ別の媒体に形成するように、プリンタ部１５に指示する。また例えば、媒体の表面側に第１画像データを形成し、かつ、媒体の裏面側に第２画像データを形成するように、プリンタ部１５に指示する。
【００３２】
一方、動作モードが裏写りシミュレーションモードである場合、制御部１１はＳ１０２乃至Ｓ１０６の処理を実行し、裏写りシミュレーションを行う（図５）。
【００３３】
制御部１１は、指定された印刷用紙の種類に対応するデバイスリンクプロファイルを生成する（Ｓ１０２）。すなわち、制御部１１は、デバイスプロファイルと、指定された印刷用紙の種類に対応するターゲットプロファイルとを用い、これら２つのプロファイル情報において、共通するＬａｂ値に関連づけられたＣＭＹＫ値を互いに関連づけたデバイスリンクプロファイル（カラープロファイル情報）を生成する。
【００３４】
例えば図６に示すように、ターゲットプロファイルにおいて、ターゲットの印刷機が特定のＣＭＹＫ値（Ｃｔ，Ｍｔ，Ｙｔ，Ｋｔとする）の色を出力したとき、当該色のＬａｂ値がＬｏ，ａｏ，ｂｏであったとする。また、このＬｏ，ａｏ，ｂｏに対応する画像処理装置１のＣＭＹＫ値が、デバイスプロファイルから、Ｃｐ，Ｍｐ，Ｙｐ，Ｋｐであったとする。
【００３５】
すると、ターゲットとなった印刷機に対して、Ｃｔ，Ｍｔ，Ｙｔ，Ｋｔの色を出力させる際に、その出力結果をシミュレートするためには、画像処理装置１側で、Ｃｐ，Ｍｐ，Ｙｐ，Ｋｐの色を出力すればよいことになる。この変換を行うための変換テーブルがデバイスリンクプロファイルによって定められる。
【００３６】
つまり、このデバイスリンクプロファイルは、画像処理装置１（プリンタ部１５）で再現される色の値（ＣＭＹＫ値）と、それに対応してターゲットの印刷機で再現される色の値（ＣＭＹＫ値）と、を関連づける情報である。
【００３７】
次に制御部１１は、第１画像データの各画素の色情報をＣＭＹＫ値に変換し、さらに、Ｓ１０２で生成されたデバイスリンクプロファイルを用いて、このＣＭＹＫ値に基づくターゲットとなる印刷機の出力を画像処理装置１でシミュレートするためのＣＭＹＫ値に変換する（Ｓ１０３）。
【００３８】
次に制御部１１は、指定された印刷用紙の種類に対応する裏写りデバイスリンクプロファイルを生成する（Ｓ１０４）。すなわち、制御部１１は、デバイスプロファイルと、指定された印刷用紙の種類に対応する裏写りターゲットプロファイルとを用い、これら２つのプロファイル情報において、共通するＬａｂ値に関連づけられたＣＭＹＫ値を互いに関連づけた裏写りデバイスリンクプロファイル（裏写り用カラープロファイル情報）を生成する。
【００３９】
例えば図６に示すように、裏写りターゲットプロファイルにおいて、ターゲットの印刷機が特定のＣＭＹＫ値（Ｃｔ，Ｍｔ，Ｙｔ，Ｋｔとする）の色を出力したとき、その裏写りの色のＬａｂ値がＬｓ，ａｓ，ｂｓであったとする。また、このＬｓ，ａｓ，ｂｓに対応する画像処理装置１のＣＭＹＫ値が、デバイスプロファイルから、Ｃｑ，Ｍｑ，Ｙｑ，Ｋｑであったとする。
【００４０】
すると、ターゲットとなった印刷機に対して、Ｃｔ，Ｍｔ，Ｙｔ，Ｋｔの色を出力させる際に、その裏写りの結果をシミュレートするためには、画像処理装置１側で、Ｃｑ，Ｍｑ，Ｙｑ，Ｋｑの色を出力すればよいことになる。この変換を行うための変換テーブルが裏写りデバイスリンクプロファイルによって定められる。
【００４１】
つまり、裏写りデバイスリンクプロファイルは、ターゲットの印刷機において媒体裏面側に印刷した色（ＣＭＹＫ値）と、それを表面側から見たときの色を画像処理装置１で再現する際の色（ＣＭＹＫ値）と、を関連づける情報である。
【００４２】
次に制御部１１は、第２画像データの色情報をＣＭＹＫ値に変換し、さらに、Ｓ１０４で生成された裏写りデバイスリンクプロファイルを用いて、このＣＭＹＫ値に基づくターゲットとなる印刷機の出力を、画像処理装置１でシミュレートするためのＣＭＹＫ値に変換する（Ｓ１０５）。さらに、制御部１１は、この第２画像データを左右反転処理する（Ｓ１０６）。
【００４３】
そして制御部１１は、これら色の値を変換し、左右反転処理した後の第２画像データと、色の値を変換した後の第１画像データとを半透明合成する（Ｓ１０７）。ここで半透明合成とは第１画像データと第２画像データにおける対応する画素の値を加算する処理である。制御部１１（画像生成手段）は、ここで半透明合成した結果、得られた画像データを、プリンタ部１５（画像出力手段）に出力する（Ｓ１０８）。
【００４４】
なお、制御部１１は、Ｓ１０２乃至Ｓ１０８の処理とともに次の処理を実行するようにしてもよい。
【００４５】
すなわち、制御部１１は、第２画像データの各画素の色情報をＣＭＹＫ値に変換し、さらに、Ｓ１０２で生成されたデバイスリンクプロファイルを用いて、このＣＭＹＫ値に基づくターゲットとなる印刷機の出力を画像処理装置１でシミュレートするためのＣＭＹＫ値に変換するようにしてもよい。
【００４６】
次に制御部１１は、第１画像データの色情報をＣＭＹＫ値に変換し、さらに、Ｓ１０４で生成された裏写りデバイスリンクプロファイルを用いて、このＣＭＹＫ値に基づくターゲットとなる印刷機の出力を画像処理装置１でシミュレートするためのＣＭＹＫ値に変換するようにしてもよい。さらに、制御部１１は、この第１画像データを左右反転処理するようにしてもよい。
【００４７】
そして制御部１１（画像生成手段）は、これら色の値を変換し、左右反転処理した後の第１画像データと、色の値を変換した後の第２画像データとを半透明合成し、その結果として得られた画像データをプリンタ部１５（画像出力手段）に出力するようにしてもよい。この場合、ここで生成された画像データと、Ｓ１０８で生成された画像データとは別々の媒体上に形成されるようにしてもよいし、一の媒体の両面に形成されるようにしてもよい。
【００４８】
以上説明した画像処理装置１によれば、実際の印刷機における裏写りの状態をシミュレートできるようになる。特に、画像処理装置１によれば、かかるシミュレートが、実際の印刷機における裏写りの色再現性を表す裏写りデバイスリンクプロファイルを用いて行われるため、最終印刷物（実際の印刷機の印刷出力）における裏写りの再現精度を向上できるようになる。
【００４９】
なお、本発明は以上説明した実施の形態に限定されるものではない。
【００５０】
例えば、ターゲットとなる印刷機の両面印刷の仕様によっては、Ｓ１０６等において、左右反転処理の代わりに上下反転処理を実行するようにしてもよい。
【００５１】
また例えば、記憶部１２には、表示部１４からの出力で再現される色の値（例えばＣＭＹＫ値）と、デバイスに依存しない色空間での各色の値（例えばＬａｂ値）と、を関連づけるデバイスプロファイルが記憶されるようにしてもよい。そして、Ｓ１０２やＳ１０４では、このデバイスプロファイルに基づいてデバイスリンクプロファイルや裏写りデバイスリンクプロファイルが生成されるようにしてもよい。そして、Ｓ１０８等では、半透明合成した結果として得られた画像データが表示部１４（画像出力手段）に出力されるようにしてもよい。
【００５２】
また例えば、デバイスリンクプロファイルと裏写りデバイスリンクプロファイルとはあらかじめ生成しておき、記憶部１２に格納させておくようにしてもよい。この場合、図３に示す処理において、Ｓ１０２及びＳ１０４の処理は省略することができ、Ｓ１０３及びＳ１０５の処理は、記憶部１２から読み出されるデバイスリンクプロファイル又は裏写りデバイスリンクプロファイルに基づいて実行されるようになる。
【００５３】
また例えば、Ｓ１０８において、色の値が変換され、左右反転処理された後の第２画像データと、色の値が変換された後の第１画像データと、の合成には、半透明合成以外の合成処理が用いられるようにしてもよい。例えば、色の値が変換され、左右反転処理された後の第２画像データに対して、色の値が変換された後の第１画像データを上書き合成するようにしてもよい。
【００５４】
また例えば、裏写りターゲットプロファイルは次のようにして生成するようにしてもよい。
【００５５】
すなわち、制御部１１は、図２に例示したカラーパッチの情報に基づいて、上記色情報で指定された色のカラーパッチを、当該色情報に関連づけられている配置位置の情報に基づく位置に配置したカラーチャートの画像データを生成する。制御部１１は、ここで生成したカラーチャートの画像データをプリンタ部１５に出力して、媒体上に形成させる。ここで形成されたカラーチャートを以下、デバイスチャートと呼ぶ。
【００５６】
次に、利用者は、測色部１６を操作して、デバイスチャートの各カラーパッチを、所定の順序で読み取らせる。例えばｍ×ｎに配列されたカラーパッチを、左上隅を起点にスキャンライン順で右下隅まで読み取らせる。
【００５７】
制御部１１は、測色部１６から順次入力されるカラーパッチの読取結果を、デバイスに依存しない色空間（例えばＬａｂ色空間）での値に変換し、順次、デバイスプロファイル情報として記憶部１２に格納する。このデバイスプロファイル情報は、画像処理装置１（プリンタ部１５）で再現された色の値（例えばＣＭＹＫ値）と、デバイスに依存しない色空間での各色の値（例えばＬａｂ値）と、を関連づける情報である。
【００５８】
また利用者は、デバイスチャートが形成されている媒体を裏返して、測色部１６を操作し、媒体を介して裏側（測色対象となるカラーチャートが形成されている面とは異なる面側）から、デバイスチャートの各カラーパッチを、所定の順序で読み取る。例えばｍ×ｎに配列されたカラーパッチを、右上隅を起点にスキャンライン順で左下隅まで読み取る。
【００５９】
制御部１１は、こうして測色部１６から順次入力されるカラーパッチの読取結果を、デバイスに依存しない色空間での値に変換し、順次、裏写りデバイスプロファイル情報として記憶部１２に格納する。すなわち、この裏写りデバイスプロファイル情報は、元の各カラーパッチの色情報（例えばシアンＣ，マゼンタＭ，イエローＹ，ブラックＫからなるＣＭＹＫ色空間での情報）に対して、当該色情報の色が媒体裏面側に印刷されたときに、表面側から媒体を介して見たときの、デバイスに依存しない色の値（Ｌａｂ色空間での値）に変換する変換テーブルとなる。
【００６０】
制御部１１は、デバイスプロファイル情報と、ターゲットとなる印刷機のターゲットプロファイルとを用い、これら２つのプロファイル情報において、共通するＬａｂ値に関連づけられたＣＭＹＫ値を互いに関連づけたデバイスリンクプロファイルを生成する。
【００６１】
次に制御部１１は、ここで生成したデバイスリンクプロファイルと、裏写りデバイスプロファイル情報とを用いて、ターゲットの印刷機で再現される色の値（ＣＭＹＫ値）と、裏写りの色の値（Ｌａｂ色空間での値）とを関連づける情報を生成する。
【００６２】
例えば、画像処理装置１が媒体の裏面側に形成したＣｐ，Ｍｐ，Ｙｐ，Ｋｐの色カラーパッチを、媒体の表面側から媒体を介して読み取ったときのＬａｂ値が、Ｌｓ，ａｓ，ｂｓであるとする。このとき、デバイスリンクプロファイルにより、画像処理装置１のＣｐ，Ｍｐ，Ｙｐ，Ｋｐの色が、ターゲットの印刷機におけるＣｔ，Ｍｔ，Ｙｔ，Ｋｔの色に対応すると定められている場合、ターゲットの印刷機において、Ｃｔ，Ｍｔ，Ｙｔ，Ｋｔの色を出力したときの裏写り色は、Ｌｓ，ａｓ，ｂｓであると仮定できる。このようにして、ターゲットの印刷機に係る裏写りターゲットプロファイルを生成するようにしてもよい。
【００６３】
また例えば、ここまでの説明では、画像処理装置１がプリンタ部１５を備えているものとしたが、このプリンタ部１５は、画像処理装置１とは別体の装置であってもよい。つまり、画像処理装置１は、いわゆるプリンタサーバであっても構わないし、プリンタ装置に対して印刷指示を出力するコンピュータシステムであってもよい。
【図面の簡単な説明】
【００６４】
【図１】本発明の一実施の形態に係る画像処理装置についての構成ブロック図である。
【図２】カラーチャートを規定する情報の例を表す説明図である。
【図３】裏写りシミュレーション処理を示すフロー図である。
【図４】動作モードの設定画面の一例を示す図である。
【図５】裏写りシミュレーションの例を表す説明図である。
【図６】裏写りデバイスリンクプロファイルの生成に係る説明図である。
【符号の説明】
【００６５】
１  画像処理装置、１１  制御部、１２  記憶部、１３  操作部、１４  表示部、１５  プリンタ部、１６  測色部。
【図１】
2007006188.tif 000003
【図２】
2007006188.tif 000004
【図３】
2007006188.tif 000005
【図４】
2007006188.tif 000006
【図５】
2007006188.tif 000007
【図６】
2007006188.tif 000008